(57)【要約】      （修正有）【課題】開封ライン部分の破損が防止される窓付き開封型封筒を提供する。【解決手段】表面部２に内面に透明シート４が貼られた窓５が設けられるとともに、かつ、複数の切り目が切り離し方向に沿って配置されて構成される開封ラインＲを備え、開封に伴って窓５部分を一体に切除可能とし、透明シート４が開封ラインＲの内面位置まで延出して配置される。【選択図】図２
0003164003.tif 000002
【実用新案登録請求の範囲】
【請求項１】
表面部に内面に透明シートが貼られた窓が設けられるとともに、かつ、複数の切り目が切り離し方向に沿って配置されて構成される開封ラインを備え、開封に伴って窓部分を一体に切除可能とした窓付き開封型封筒において、
前記透明シートが前記開封ラインの内面位置まで延出して配置されてなることを特徴とする窓付き開封型封筒。
【考案の詳細な説明】
【技術分野】
【０００１】  この考案は、窓付き開封型封筒に関する。
【背景技術】
【０００２】  封筒として、表面部に内面に透明シートが貼られた窓を備えるとともに開封ラインが設けられ、開封に伴って窓部分を一体に切除可能とした窓付き開封型封筒が提供されている。
このような構成によって、開封とともに透明シートが貼られた窓部分が除去できることで、残る封筒部分のリサイクル使用が容易になされるように工夫されている。
【考案の概要】
【考案が解決しようとする課題】
【０００３】  上記開封ラインは通常小さな切り目がライン状に配置されることで形成されているので、何かの外力がかかることで開封ライン部分が破損しやすいという基本的な問題がある。
とくに封筒は郵便局等において自動選別機のローラーに通されてその処理がなされるが、その際にかかる種々の方向からの力によりその切り目の間部分が破れてしまう問題が発生している。【０００４】  この考案は上記の事情に鑑みて行ったもので、開封ライン部分の破損が防止される窓付き開封型封筒を提供することを目的とする。
【課題を解決するための手段】
【０００５】  この考案では、表面部に内面に透明シートが貼られた窓が設けられるとともに、かつ、複数の切り目が切り離し方向に沿って配置されて構成される開封ラインを備え、開封に伴って窓部分を一体に切除可能とした窓付き開封型封筒において、前記透明シートが前記開封ラインの内面位置まで延出して配置されてなることを特徴とする窓付き開封型封筒を提供する。【０００６】  上記構成によれば、透明シートが内面に位置することで開封ライン部分が補強されて破損することが防止される。外部より何らかの力がかかり内部書類の角部が開封ラインに当る場合も、透明シートがあることでその力が直接開封ラインに及ぶことがなく、これにより開封ラインの破損が回避される。窓に貼られる透明シートが開封ラインの内面位置まで延出して配置されるので、別途部材を必要としない簡単な構成により開封ライン部分の補強がなされる。
【考案の効果】
【０００７】  この考案によれば、開封ライン部分の破損が防止される窓付き開封型封筒が得られる。
とくに、窓に貼られる透明シートが利用されて開封ライン部分が補強されることで、構成が簡単で実用性に優れる窓付き開封型封筒が得られる。
【図面の簡単な説明】
【０００８】
【図１】  窓付き開封型封筒の正面図
【図２】  窓付き開封型封筒の展開外面図
【図３】  窓付き開封型封筒の使用時断面図
【図４】  開封ラインＲを構成する切り目の配置構成図
【図５】  開封ラインＲを構成する切り目の配置構成図
【図６】  開封動作説明図
【図７】  開封時の封筒の正面図
【考案を実施するための形態】
【０００９】  図１は窓付き開封型封筒の正面図、図２は同展開外面図、図３は同使用時断面図である。
窓付き開封型封筒１は表面部２と裏面部３とが折り重ねられ、側部６、６が両側から貼り付け固定されて構成されている。表面部２の一方側上部に内面側に透明シート４が貼られた窓５を備え、その窓５を一体に切り離すように開封ラインＲが形成されている。開封ラインＲの一部は蓋片７に位置し、そこには半円形の指掛け部９が切り込み形成されている。
上記開封ラインＲのＡ、Ｂ、Ｃ、Ｄ部分とＥ、Ｆ部分とはその開封ラインＲを構成する切り目１０の長さ構成が異なっている。
【００１０】  図４は上記Ａ、Ｂ、Ｃ、Ｄ部分の切り目の配置構成を示し、切り目１０それぞれは３ｍｍの同長さで、切り目の一つおきのものそれぞれが互いに略平行に位置している。また、切り離し方向Ｘにおいて前後する２個の切り目１０ａ、１０ｂおいて、切り目１０ａの終端１２の延長線上に後段の切り目１０ｂの途中部分１４が位置し、かつ、前段の切り目１０ａと後段の切り目１０ｂとが互いに相対する側において５０度の仮想交差角Ｙを持つように配置されている。上記切り目１０ａの終端１２と後段の切り目１０ｂの途中部分１４との間隔は０．８ｍｍとされている。図５は上記Ｅ、Ｆ部分の切り目１０の配置構成を示し、切り目１０それぞれは４ｍｍと２ｍｍのものが交互に、その他は上記と同様にして配置されている。
【００１１】  透明シート４としてはその縦幅が封筒の縦幅とほぼ等しく、かつ、横幅が封筒の横幅の半分長さより大きな長方形のものが用いられ（図１において点線でその外形を示す）、その透明シート４が窓５、さらには、開封ラインＲのＡ、Ｂ、Ｃ、Ｅ部分を内面から一体に覆うように配置され、その上縁、下縁、封筒の端部側に位置する側縁のそれぞれが表面部２の内面に粘着剤により貼り付けられて取り付けられている。上記のように、透明シート４が内面に位置することで表面部２の開封ラインＲのＡ、Ｂ、Ｃ、Ｅ部分の切り目が補強されて破損することが防止される。例えば、外部より何らかの力がかかることで内部書類Ｓの角部Ｓ１、Ｓ２が表面部２の開封ラインＲのＡ、Ｂ部分に当る場合も、透明シート４があることでその力が直接に切り目に及ぶことがなく、これによりＡ、Ｂ部分の切り目の破損が回避される。
【００１２】  以下、上記窓付き開封型封筒１の開封動作を説明する。まず、裏側上部に位置する蓋片７の指掛け部９を起し持って表面部２の上縁２０側に引くことで開封ラインＲのＤ、Ｆ部分を切り離し、図６に示すように、３角状の引っ張り片２１を立ち上げ、その引っ張り片２１を左方向に引くことでＡ、Ｅ、Ｂ部分を切り離して一方の側縁２３の位置まで開き、その開いたものを上縁２０側に引くことでＣ部分を切り離して切り取り部３０の全体を切り取り、さらに、残る透明シート４を取り外すことで、図７に示すように、開封する。
【００１３】  上記の開封に際し、開封ラインＲにおいて引っ張りによる切り離しの力が働くことで、図４において、前段切り目１０ａの終端１２が切り裂かれて後段の切り目１０ｂの途中部分１４に至り、その後段の切り目１０ｂの終端１２がさらに切り裂かれて次段の切り目１０の途中部分１４に至り、このようにして、切り目１０それぞれに沿って順次切り離されていく。開封ラインＲのＡ、Ｂ、Ｃ、Ｄ部分においてはその切り離し方向に沿って切り離しの力がかかるが、Ｅの部分においては側方、Ｆの部分においては下方とそれぞれ切り離し方向と斜めとなる方向において力がかかる。したがって、Ｅの部分においては下方に向く側の切り目１０を長くし、Ｆの部分においては側方に向く側の切り目１０を長くし、その長くした切り目１０それぞれに沿って切り離し力が働くようにして、その切り離し力が斜めの方向にかかる力に抗することで開封ラインＲに沿ってスムーズな切り離しが行われるようにしている。
【００１４】  上記のように切り取り部３０が除去され開封されることで内部の送付書類が取り出せ、また、残った封筒４０は透明シート４が貼られた窓５が無いことでそのままリサイクル使用することが可能となる。くわえて、切り取り部３０を表面部２の一方側において切り取る形とすることで、残った封筒４０は切り取り部３０が除去された逆側が送付書類の収納ポケット５０として利用でき、これにより送られてきた送付書類をそのまま収納するように使用できる。
【符号の説明】
【００１５】１  窓付き開封型封筒
２  表面部
３  裏面部
４  透明シート
５  窓
１０  切り目
１０ａ  切り目
１０ｂ  切り目
１２  終端
１４  途中部分
Ｒ    開封ライン
【図１】
0003164003.tif 000003
【図２】
0003164003.tif 000004
【図３】
0003164003.tif 000005
【図４】
0003164003.tif 000006
【図５】
0003164003.tif 000007
【図６】
0003164003.tif 000008
【図７】
0003164003.tif 000009